(57)【要約】【課題】商用電源の供給が停止したときに、外部電源を用いて商品を取出すことができる非常用電動式商品搬出機構を備えた自動販売機の提供。【解決手段】自動販売機３側には、非常用商品搬出機構として、ベンドメカ給電ラインに割り込ませた割り込み給電ラインと、前記割り込み給電ラインに介装されたスイッチと、外部からのスマートフォンによる商品搬出要求により、前記スイッチを閉じて当該ベンドメカへ給電して商品を搬出させる搬出制御手段が備えられており、停電時に、カーバッテリー（Ｂ）を前記ラインに接続し、スマートフォン７を操作して、給電ラインを開通させ、さらに、スマートフォン７の商品選択画面から商品を選択してその商品を搬出させることができる。【選択図】        図２
2015041118.tif 000002
【特許請求の範囲】
【請求項１】
商用電源の供給を受けてベンドメカが動作する自動販売機を停電時の商品供給源として利用する自動販売機システムにおいて、
自動販売機側には、非常用商品搬出機構として、ベンドメカ給電ラインに割り込ませた割り込み給電ラインと、前記割り込み給電ラインに介装されたスイッチと、外部からの通信による商品搬出要求により前記スイッチを閉成する搬出制御手段を備え、前記スイッチの閉成により前記割り込み給電ラインから当該ベンドメカへ給電して商品を搬出させることを特徴とする非常用商品搬出機構を備えた自動販売機システム。
【請求項２】
請求項１に記載した非常用商品搬出機構を備えた自動販売機システムにおいて、
商品搬出要求手段がスマートフォンを利用して構成されていることを特徴とする自動販売機システム。
【請求項３】
請求項２に記載した非常用商品搬出機構を備えた自動販売機システムにおいて、
自動販売機は商品リストの記録部を設け、商品搬出要求手段は、スマートフォンに前記商品リストを利用して商品選択欄を設けた画面を表示することを特徴とする自動販売機システム。
【請求項４】
請求項３に記載した非常用商品搬出機構を備えた自動販売機システムにおいて、
商品搬出要求手段は、売切れを検知すると、該当商品の選択欄を無効化することを特徴とする自動販売機システム。
【請求項５】
請求項２から４のいずれかに記載した非常用商品搬出機構を備えた自動販売機システムにおいて、
自動販売機側は、スマートフォンとＵＳＢインターフェースまたはブルートゥースを介して接続されることを特徴とする自動販売機システム。
【請求項６】
請求項２から５のいずれかに記載した非常用商品搬出機構を備えた自動販売機システムにおいて、
スマートフォンに自動販売機の保守モード画面を表示する保守手段を設けたことを特徴とする自動販売機システム。
【請求項７】
請求項６に記載した非常用商品搬出機構を備えた自動販売機システムにおいて、
保守モード画面の一つとして、ベンドメカの配線設定画面を表示することを特徴とする自動販売機システム。
【請求項８】
請求項２から７のいずれかに記載した非常用商品搬出機構を備えた自動販売機システムにおいて、
スマートフォンとインターネットを介して通信可能なサーバと、前記携帯端末に前記サーバからの商品情報を利用して商品リストを作成する商品リスト作成画面とを表示する商品リスト作成手段を設けたことを特徴とする自動販売機システム。
【請求項９】
請求項８に記載した非常用商品搬出機構を備えた自動販売機システムにおいて、
自動販売機に商品の搬出情報を記録する搬出情報記録部を備え、スマートフォン側からの要求により搬出情報を渡す搬出情報提供手段を設けたことを特徴とする自動販売機システムである。
【請求項１０】
請求項８または９に記載した非常用商品搬出機構を備えた自動販売機システムにおいて、
スマートフォンからの要求により自動販売機側の正常・異常を検知し、その結果をサーバに報知する状態情報報知手段を設けたことを特徴とする自動販売機システム。
【発明の詳細な説明】
【技術分野】
【０００１】
本発明は飲料缶等の商品の自動販売機を備蓄倉庫として利用し、特に震災等で商用電源の供給が停止した場合でも商品を取り出すことができるシステムに関するものである。
【背景技術】
【０００２】
通常、自動販売機内では、本体キャビネット内で上下方向に延びた商品収容通路に商品が一列に積み重なった状態で収容されており、待機中は商品収容通路にストッパが進行して商品の下方への移動は規制されているが、コインや紙幣が投入されると、当該ストッパが後退して商品の下方への移動が許容され、落下移動した商品が商品取出し口から搬出されるように構成されている。
このストッパは、ベンドメカのソレノイドにより駆動されて後退動作するので、震災等の災害時に停電するとソレノイドが作動せず、自動販売機から商品を取り出すことができなくなる。
【０００３】
最近では、自動販売機を備蓄倉庫とし、震災等の非常時に商品供給源として活用することが提案されている。この提案に応えて、商用電源が供給されないときでも、手動操作によって自動販売機から商品を搬出させることができる手動操作式商品搬出機構を備えた自動販売機が開発されており、その一例が特許文献１に記載されている。
【先行技術文献】
【特許文献】
【０００４】
【特許文献１】特開２０１２−６８９２５号公報
【発明の概要】
【発明が解決しようとする課題】
【０００５】
而して、車に搭載されているカーバッテリーのような、比較的利用し易いバッテリー式の外部電源を利用して、商品搬出機構だけを働かせることができれば、限られた電力を有効に利用して、効率良く商品を搬出させることができる。
また、最近では、スマートフォンのような多機能の携帯端末が急激に普及しており、かかる携帯端末を利用して通信制御により商品を搬出させれば、搬出作業をスピードアップでき、利便性もより高まる。加えて、携帯端末に備わる操作部、表示部等を利用することで、自動販売機の本体キャビネット側に押しボタン等の操作部を設けることが不要となり、非常用商品搬出機構の設置の際のコストのダウンに繋がるだけでなく、搬出すべき商品を選択できるようにする等が可能となる。
【０００６】
本発明は上記従来の問題に着目して為されたものであり、車に搭載されているカーバッテリーのような、比較的利用し易いバッテリー式の外部電源を利用して、商品搬出機構だけを働かせ、しかも、外部からの通信を介して商品を取り出すことができる、新規且つ有効な非常用商品搬出機構を備えた自動販売機システムを提供することを、その目的とする。
【課題を解決するための手段】
【０００７】
本発明は上記課題を解決するためになされたものであり、請求項１の発明は、商用電源の供給を受けてベンドメカが動作する自動販売機を停電時の商品供給源として利用する自動販売機システムにおいて、自動販売機側には、非常用商品搬出機構として、ベンドメカ給電ラインに割り込ませた割り込み給電ラインと、前記割り込み給電ラインに介装されたスイッチと、外部からの通信による商品搬出要求により前記スイッチを閉成する搬出制御手段を備え、前記スイッチの閉成により前記割り込み給電ラインから当該ベンドメカへ給電して商品を搬出させることを特徴とする非常用商品搬出機構を備えた自動販売機システムである。
【０００８】
請求項２の発明は、請求項１に記載した非常用商品搬出機構を備えた自動販売機システムにおいて、商品搬出要求手段がスマートフォンを利用して構成されていることを特徴とする自動販売機システムである。
【０００９】
請求項３の発明は、請求項２に記載した非常用商品搬出機構を備えた自動販売機システムにおいて、自動販売機は商品リストの記録部を設け、商品搬出要求手段は、スマートフォンに前記商品リストを利用して商品選択欄を設けた画面を表示することを特徴とする自動販売機システムである。
【００１０】
請求項４の発明は、請求項３に記載した非常用商品搬出機構を備えた自動販売機システムにおいて、商品搬出要求手段は、売切れを検知すると、該当商品の選択欄を無効化することを特徴とする自動販売機システムである。
【００１１】
請求項５の発明は、請求項２から４のいずれかに記載した非常用商品搬出機構を備えた自動販売機システムにおいて、自動販売機側は、スマートフォンとＵＳＢインターフェースまたはブルートゥースを介して接続されることを特徴とする自動販売機システムである。
【００１２】
請求項６の発明は、請求項２から５のいずれかに記載した非常用商品搬出機構を備えた自動販売機システムにおいて、スマートフォンに自動販売機の保守モード画面を表示する保守手段を設けたことを特徴とする自動販売機システムである。
【００１３】
請求項７の発明は、請求項６に記載した非常用商品搬出機構を備えた自動販売機システムにおいて、保守モード画面の一つとして、ベンドメカの配線設定画面を表示することを特徴とする自動販売機システムである。
【００１４】
請求項８の発明は、請求項２から７のいずれかに記載した非常用商品搬出機構を備えた自動販売機システムにおいて、スマートフォンとインターネットを介して通信可能なサーバと、前記携帯端末に前記サーバからの商品情報を利用して商品リストを作成する商品リスト作成画面とを表示する商品リスト作成手段を設けたことを特徴とする自動販売機システムである。
【００１５】
請求項９の発明は、請求項８に記載した非常用商品搬出機構を備えた自動販売機システムにおいて、自動販売機に商品の搬出情報を記録する搬出情報記録部を備え、スマートフォン側からの要求により搬出情報を渡す搬出情報提供手段を設けたことを特徴とする自動販売機システムであるである。
【００１６】
請求項１０の発明は、請求項８または９に記載した非常用商品搬出機構を備えた自動販売機システムにおいて、スマートフォンからの要求により自動販売機側の正常・異常を検知し、その結果をサーバに報知する状態情報報知手段を設けたことを特徴とする自動販売機システムである。
【発明の効果】
【００１７】
本発明の自動販売機によれば、車に搭載されているカーバッテリーのような、比較的利用し易いバッテリー式の外部電源を利用して、商品搬出機構だけを働かせ、しかも、スマートフォンを利用した外部からの要求により商品を搬出させることができる。
【図面の簡単な説明】
【００１８】
【図１】本発明の実施の形態に係る自動販売機システムの全体のイメージ的構成図である。
【図２】図１の自動販売機システムの停電時のイメージ的構成図である。
【図３】図１の自動販売機システムの自動販売機側の商品搬出機構の電気的構成図である。
【図４】図３の基盤とソレノイド側とを接続するケーブルの使い分けのイメージ図である。
【図５】図１の自動販売機システムの、自動販売機の設置業者による自動販売機側の設定作業（１）における動作説明図である。
【図６】図５に続く、設定作業（２）における動作説明図である。
【図７】図６に続く、設定作業（３）における動作説明図である。
【図８】図１の自動販売機システムの、自動販売機側の商品とコラム番号関連付け作業における動作説明図である。
【図９】図１の自動販売機システムの、自動販売機側のシステムチェック作業における動作説明図である。
【図１０】図１の自動販売機システムの、商品搬出作業における動作説明図である。
【図１１】図１の自動販売機システムの、非常用商品搬出機構を利用して搬出した搬出情報の記録作業における動作説明図である。
【発明を実施するための形態】
【００１９】
本発明の実施の形態に係る非常用商品搬出機構を備えた自動販売機システム１を図面にしたがって説明する。
図１で、自動販売機システム１は、既存の自動販売機３を改造して非常用商品搬出機構５（後述）を備えている。自動販売機３とスマートフォン７とはブルートゥース（Bluetooth（登録商標））（及び／またはＵＳＢインターフェース）を介して通信可能になっており、自動販売機３とサーバ９とはインターネットを介して通信可能になっている。スマートフォン７とサーバ９とは、内蔵の回路によりインターネットを介して通信可能であり、自動販売機３と、スマートフォン７と、サーバ９との間に、図示のような通信システムが構築されている。
【００２０】
自動販売機３は、従来から有るタイプのものであり、商用電源（ＡＣ）から給電されるとソレノイド型のベンドメカＭ（後述）が動作し、商品が搬出される。商品収容部は、本体キャビネット内に設けられた複数の上下に長いコラムによって構成されており、各コラムにベンドメカＭが各別に備えられている。従って、コラム毎に収容する商品の種類を異ならせることで、商品を選択した上で搬出させることができるようになっている。
また、本体キャビネットの底面側からはケーブル１１（図３）が引き出されており、このケーブル１１は、通常底面と設置地面との間の隙間に仕舞われている。図２に示すように、自動販売機３は、停電時には、このケーブル１１を介してカーバッテリー（Ｂ）からも給電されるように構成されている。
【００２１】
以下、ソレノイド駆動式商品搬出機構について、電気系を中心として詳細に説明する。
この商品搬出機構を駆動させる電気的構成部分は、図３に示すものであり、通常の商用電源を利用した電源系回路に、非常用のカーバッテリー（Ｂ）を利用した電源系回路を割り込ませてある。
商品収容部となるコラムは６段タイプになっており、説明の便宜のために、一列を示している。各コラムに割り当てられたベンドメカＭのソレノイドＳは、区別のために、Ｎｏｓ．１〜６が付されている。
【００２２】
通常の商品搬出用に、商用電源ＡＣに入力端が接続された商用電源ライン１３（Ｕ、Ｌ）に、各ソレノイドＳへ給電するソレノイド給電ライン１５（Ｌ、Ｒ）が接続されて商用電源回路が構成されている。各ソレノイド給電ライン１５（Ｌ）に、商品選択ボタンの押下によりＯＮとなる商品選択スイッチ１７が介装されており、この商品選択スイッチ１７がＯＮになると、ソレノイドＳへ給電されて、ソレノイドＳの駆動により、対応するコラムに収容されていた飲料缶が搬出される。
【００２３】
上記した通常の商品搬出用の電源系に非常用の電源系が割り込み接続されている。
自動販売機３には、非常用商品搬出機構を構成する基盤１９が備えられており、そこに上記したケーブル１１のコネクタ部２１が設けられている。コネクタ部２１から延びたソレノイド給電ライン２３にはＤＣ／ＡＣコンバータ２５が介装されており、カーバッテリー（Ｂ）からの直流出力が、ソレノイドＳへの給電用にＤＣ／ＡＣコンバータ２５によって交流出力に変換されて出力される。
【００２４】
ソレノイド給電ライン２３（Ｕ）には、ＤＣ／ＡＣコンバータ２５の直流入力段側に電源スイッチ２７が介装されている。
ＤＣ／ＡＣコンバータ２５の交流出力段側では、ソレノイド給電ライン２３（Ｕ）とソレノイド給電ライン２３（Ｌ）との間に励磁コイル２９が接続され、それに対応する接点３１がソレノイド給電ライン２３（Ｌ）に介挿されて、自己保持用のリレー回路が構成されており、カーバッテリー（Ｂ）から給電を開始したときの突入電流が抑制されている。
【００２５】
また、ＤＣ／ＡＣコンバータ２５の交流出力段側では、リレー回路の先に、配電部３３が介装されており、配電部３３の出力段側では、ソレノイド給電ライン２３（Ｕ）が分岐して複数の分岐ライン２３（Ｕ）Ｎｏｓ．１−６になっている。分岐ライン２３（Ｕ）Ｎｏｓ．１−６には、商品選択スイッチ３５がそれぞれ介装されている。
ソレノイド給電ライン２３（Ｕ）、分岐ライン２３（Ｕ）Ｎｏｓ．１−６は、コネクタ部３７を介してケーブル３９の一端側と接続されており、ケーブル３９内の外部配線は基盤１９上の配線と対応している。なお、外部配線は視認の便宜のために、基盤１９上の配線と同じ符号を付している。
【００２６】
ケーブル３９の他端側から出た分岐ライン２３（Ｕ）Ｎｏｓ．１−６は、ソレノイド（Ｓ）Ｎｏｓ．１−６にそれぞれ連結されたソレノイド給電ライン１５（Ｌ）に各別に対応しており、分岐ライン２３（Ｕ）Ｎｏｓ．１−６の他端は、各ソレノイド給電ライン１５Ｌ上の商品選択スイッチ１７とソレノイド（Ｓ）との間で接続されて、割り込みの電源回路が構成されている。
上記した接続は、既存の配線のソレノイド側ハーネスと商用電源側ハーネスとの間に中間カプラを割り込ませることで実現している。
【００２７】
コネクタ部２１には、制御ライン４０も接続されている。
基盤１９上には、制御系として、ＣＰＵ４１とメモリ４３とを含むマイクロコンピュータの他に、ブルートゥース無線通信部４５、インターネット通信部４７が設けられており、ＣＰＵ４１は通信部４５、４７を介して外部と通信可能になっている。また、電源スイッチ２７、商品選択スイッチ３５の閉成を制御している。さらに、内蔵の売切れスイッチ４９からも売切れ信号を受信できるようになっている。
制御ライン４０は、上記したＣＰＵ４１等に給電している。
【００２８】
図４のケーブルのイメージ図に示すように、分岐ライン２３（Ｕ）Ｎｏｓ．１−６は、一つのケーブル３９に内包されており、ソレノイド接続側で、分岐ライン２３（Ｕ）Ｎｏｓ．１−２、分岐ライン２３（Ｕ）Ｎｏｓ．３−４、分岐ライン２３（Ｕ）Ｎｏｓ．５−６の三つに分かれて外に引き出されている。
ベンドメカ（Ｍ）はコラム毎に備えられているが、配線等の都合上、二つのコラムを一組とし、コラム内で互いに隣接するように配置されている。
従って、このケーブル３９を使用すれば、コラムが６段タイプの場合には、すべての分岐ライン２３（Ｕ）を接続させ、５段タイプの場合には、自動販売機の本体キャビネットの最後端にくる分岐ライン２３（Ｕ）Ｎｏ．６を余らすことで、タイプが異なっても使い分けることができるようになっている。
【００２９】
非常用商品搬出機構は、上記のように構成されており、自動販売機３の下の隙間からケーブル１１を引出し、カーバッテリー（Ｂ）に接続することで電源回路並びに制御回路を構成する。
上記した配線系により、後付けの改造で、非常用商品搬出機構を取付けられるので、中古品にも対応でき、また、特許文献１に示すような手動式にスペース等の関係で不向きな機種にも対応できる利点がある。
【００３０】
次に、自動販売機システム１の動作を、作業者による処理手順にしたがって説明する。
〈非常用商品搬出機構の設置と自動販売機側の設定作業〉
自動販売機設置業者が、システムのアプリがインストールされたスマートフォン７を携帯した上で、対象となる自動販売機３の設置場所に向かい、図３、図４に示すように、自動販売機３に基盤１９を配置すると共に結線処理を行う。
次に、図５に示すように、アプリを起動させる。起動により、スマートフォン７は、自動販売機３の基盤１９とはブルートゥースを介して接続される。
【００３１】
アプリは、操作者の特定を促す「ＴＯＰ画面」を表示する。「自販機設置業者用」を特定後、「システム設定」、「商品搬出モード用暗証番号」、「自販機情報の登録」、「商品とコラム番号関連付け」、「保守モード」の選択を促す画面を表示する。
「保守モード」のメニューには、「タイプ別設定番号」と、「食品収納庫数の設定」が含まれている。
業者は、自動販売機１がコラム式なので、「タイプ別設定番号」の設定を要求する。それに応えて、アプリは「段数と列数の設定画面」を表示する。業者が自動販売機特有のコラムタイプ（ここでは、６×６）を入力（変更）すると、アプリはその結果を、基盤１９側のＣＰＵ４１を介してメモリ４３に記録する。
【００３２】
この処理により、ソレノイド（Ｓ）Ｎｏｓ．１−６に対応する実際のコラムＮｏｓ．１−６と、メモリ４３に記録されたコラムＮｏｓ．１−６とが、それぞれ分岐ライン２３（Ｕ）Ｎｏｓ．１−６を介して対応付けられる。一方、５段タイプの場合には、ソレノイド（Ｓ）Ｎｏｓ．１−５に対応する実際のコラムＮｏｓ．１−５と、メモリ４３に記録されたコラムＮｏｓ．１−５とが、それぞれ分岐ライン２３（Ｕ）Ｎｏｓ．２−６を介して対応付けられる。
このように、アプリを介して結線状態の記録を変更できるので、メモリ４３の記録を実際の結線状態に合わせることができ、同じケーブルの使用が可能となっている。
【００３３】
次に、図６に示すように、業者が「システム設定」を要求する。それに応えて、アプリは、サーバ９からその自動販売機３に割り当てられた「基盤認識番号」を受取り、上記と同様にしてメモリ４３に記録する。これにより、自動販売機３が特定される。
図７に示すように、業者が「商品搬出モード用暗証番号」の設定要求をすると、アプリは、入力画面を表示して業者に入力を促し、入力後は、暗証番号を、同様にメモリ４３に記録する。暗証番号は、電源スイッチ２７（図３）の閉成キーとなっている。
【００３４】
〈自動販売機側の商品とコラム番号関連付け作業〉
図８に示すように、業者が「商品とコラム番号関連付け」の要求をすると、アプリは、「選択商品リスト画面」を表示する。リスト欄は、メモリ４３から読み出した「段数」×「列数」になっている。
この商品名はメモリ４３に既に記録されたものがあれば表示する。業者がリスト欄の「変更」を選択すると、アプリは、サーバ９から採用商品群を呼出し、「採用商品群リスト画面」を表示する。業者が、その中から該当する商品名を選択すると、アプリはその商品名を「選択商品リスト画面」に更新表示する。この処理により、「選択商品リスト」を完成すると、アプリは「選択商品リスト」をメモリ４３に更新記録する。なお、商品の種類が多いので、「変更」が選択されると、絞り画面を表示し、テキスト検索用の「メーカー名」と「商品名」の入力画面を表示し、入力結果を受けて絞られた「採用商品群リスト画面」を表示することで、リスト作成の便宜を図っている。
【００３５】
上記した業者の一例の作業により、自動販売機３の非常用商品搬出機構の給電・制御系が構築されると共に、基盤１９側のメモリ４３に、「基盤認識番号」と「暗証番号」と「商品リスト」が記録されて、非常用商品搬出機構が利用可能状態となる。
【００３６】
〈商品補充時のシステムチェック作業〉
作業者が、対象となる自動販売機３の設置場所に補充を目的として出向いた際に、システムのアプリがインストールされたスマートフォン７を携帯し、上記したようにカーバッテリー（Ｂ）を接続させた上で、オペレートとしてアプリを起動させる。起動により、スマートフォン７は、自動販売機３の基盤１９とはブルートゥースを介して接続される。
アプリは、図９に示すように、操作者の特定を促す「ＴＯＰ画面」を表示し、特定後は「自販機オペレータ用画面」を表示する。作業者が「システム設定」を要求し、さらに遷移表示画面から「システム状態：ＯＮ」を選択すると、アプリは、自動販売機３側をＯＮ、すなわちＣＰＵ４１を動作状態とする。また、遷移表示画面から「システム状態：ＯＦＦ」を選択すると、アプリは、自動販売機３側をＯＦＦ、すなわちＣＰＵ４１を停止状態とする。アプリは、サーバ９と通信状態にあるので、そのＯＮ・ＯＦＦの成功・失敗結果を受け取ると、サーバ９に報知する。
【００３７】
この機能により、作業者が補充時にシステムチェックも併せて行うことで、サーバ９側にその履歴が、蓄積される。従って、システム管理者が、サーバ９側でその閲覧画面（図示）で管理できる。
なお、上記した基盤認識番号を取得する際にも、「システム設定」の機能を利用するので、アプリは上記したシステムチェックも行っている。
このように、利便性を考慮して、共通するメニューが用意されており、そのメニューについてはどちらでも実施できるようになっている。
【００３８】
〈商品搬出作業〉
自動販売機設置先管理者が、停電時等の非常時に、システムのアプリがインストールされたスマートフォン７を携帯して、対象となる自動販売機３の設置場所に出向く。そして、上記したようにカーバッテリー（Ｂ）を接続させた上で、アプリを起動させる。起動により、スマートフォン７は、自動販売機３の基盤１９とはブルートゥースを介して接続される。
アプリは、図１０に示すように、操作者の特定を促す「ＴＯＰ画面」を表示する。特定後は「設置先管理者用画面」を表示する。そこには、「商品搬出」ボタンが表示されており、管理者がそのボタンを選択すると、電源スイッチ２７が閉成する。
その後、アプリは、「暗証番号入力画面」を表示し、管理者が入力すると、「商品搬出画面」を表示する。そこでは、商品名に対応して「搬出」ボタンを設けている。
【００３９】
管理者が、希望商品の「搬出」ボタンを選択すると、自動販売機３側で搬出制御手段として働くＣＰＵ４１がソレノイド（Ｓ）に繋がる分岐ライン２３（Ｕ）Ｎｏｓ．１−６のうちその希望商品が収容されたコラムに繋がる分岐ラインの商品選択スイッチ３５を閉成し、非常用商品搬出機構の給電ラインを開通させて図２に示すように、商品搬出を行う。
商品選択スイッチ３５の閉成時間は設定されており、一回の選択で設定時間だけ搬出が続く。ＣＰＵ４１は、売切れスイッチ４９からの売切れ信号を受けると、商品選択スイッチ３５を開成すると共に、それをアプリに知らせるので、アプリはその商品の「搬出」ボタンをグレー表示にして入力不可として、そのボタンを無効化する。
また、ＣＰＵ４１は、商品選択スイッチ３５の閉成時間から商品（飲料缶）の搬出本数をカウントしており、メモリ４３に「搬出本数」を記録する。
【００４０】
〈商品搬出の記録作業〉
システム管理者が、上記と同様な通信状態を確保した上で、アプリを起動する。
アプリは、図１１に示すように、操作者の特定を促す「ＴＯＰ画面」を表示する。特定後は「自販機オペレータ用画面」を表示する。この画面には、「商品搬出」ボタンが設けられており、管理者が「商品搬出」ボタンを選択すると、アプリは自動販売機３のメモリ４３からＣＰＵ４１を介して搬出データを呼び出し、基盤認識番号と共に、サーバ９に送る。従って、システム管理者が、サーバ９側でその閲覧画面（図示）で管理できる。
【００４１】
アプリは、スマートフォン７の通信・ＣＰＵ・メモリ・表示機能を利用して、自動販売機３側を制御すると共にサーバ９とも通信状態とすることで各種手段を論理的に構成して、上記処理を可能としている。
主な手段と処理の関係について説明すると、商品搬出要求手段は、商品搬出に関するものであり、スマートフォン７に、「商品搬出要求画面」として、商品の選択を可能とする「商品搬出画面」を提供している。
商品リスト作成手段は、自動販売機側の商品とコラム番号関連付けに関するものであり、「商品リスト作成画面」として、自動販売機３のコラムに合わせた「選択商品リスト画面」を提供すると共に、サーバ９側のデータを利用して「採用商品群リスト画面」を提供している。
搬出情報提供手段は、非常用商品搬出機構を利用して搬出した場合の搬出情報の提供に関するものであり、自動販売機３のメモリ４３を搬出情報記録部として利用している。
状態情報報知手段は、自動販売機３側のシステムの動作状態の正常・異常の報知に関するものであり、「システムＯＮ」、「システムＯＦＦ」の選択により、ＣＰＵ４１を動作・停止させ、その結果をサーバ９側に提供している。
【００４２】
自動販売機システム１は、上記のように構成されており、カーバッテリー（Ｂ）を利用して非常用商品搬出機構だけを働かせることができ、限られた電力を有効に利用して、効率良く商品を搬出させることができる。
また、スマートフォンに備え付けの操作部、表示部等を利用することで、自動販売機の本体キャビネット側に押しボタン等の操作部を設けることが不要となっている。
さらに、自動販売機３との通信をブルートゥースまたはＵＳＢとすることで、停電時でも通信を安定化できるが、停電時以外でも利用することで、自動販売機の設置者側に通信料金が課されないメリットがある。
【００４３】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、外部電源はカーバッテリーになっているが、自動販売機は車の通行が不便なところにも設置されるので、そのような場合を考慮すれば、より取り扱い易い乾電池その他の蓄電池対応にすることも考えられる。
また、システムの動作内容は上記実施の形態で記載したものに限定されず、保守モードでは、そのメニューに表示されているように、ソレノイドの動作確認、駆動時間の設定も行える。
また、ベンドメカは、モータータイプを併用してもよい。その場合には、ＡＣ／ＤＣコンバータを併用することになる。
【産業上の利用可能性】
【００４４】
本発明の非常用商品搬出機構は、電気駆動式商品搬出機構を備えた既存の自動販売機を改造することで取り付けることができる。
【符号の説明】
【００４５】
１‥‥非常用商品搬出機構を備えた自動販売機システム
３‥‥自動販売機                    ５‥‥非常用商品搬出機構
７‥‥スマートフォン                ９‥‥サーバ
１９‥‥基盤
２３‥‥ソレノイド給電ライン          ２５‥‥ＤＣ／ＡＣコンバータ
２７‥‥電源スイッチ                  ３５‥‥商品選択スイッチ
３９‥‥ケーブル                      ４０‥‥制御ライン
４１‥‥ＣＰＵ                        ４３‥‥メモリ
４５‥‥ブルートゥース無線通信部      ４７‥‥インターネット通信部
４９‥‥売切れスイッチ
Ｍ‥‥ベンドメカ                Ｓ‥‥ソレノイド
【図１】
2015041118.tif 000003
【図２】
2015041118.tif 000004
【図３】
2015041118.tif 000005
【図４】
2015041118.tif 000006
【図５】
2015041118.tif 000007
【図６】
2015041118.tif 000008
【図７】
2015041118.tif 000009
【図８】
2015041118.tif 000010
【図９】
2015041118.tif 000011
【図１０】
2015041118.tif 000012
【図１１】
2015041118.tif 000013